(57)【要約】【課題】従来のゲルマニウムを用いた健康グッズに皮膚添付形式のものがあったがかぶれやすい。同類のローラー商品にはゲルマニウムの突起がなく、刺激効果も皮膚表面で感じる圧だけなので、経絡・ツボ・指圧良法など知らないとゲルマニウムの効果も少ないと思われる。【解決手段】図１において１は円筒状の軸方向にゲルマニウム突起を１２個埋め込み、ローリングすることでゲルマニウムがランダムに皮膚に接触し刺激することを特徴とする。２は取っ手の底部のＵ字型キャップにゲルマニウム突起を５個埋め込み、皮膚患部に直圧を加えることを特徴とする。３はローラーの軸受け部分にゲルマニウム突起を１個埋め込み、皮膚患部を殴打することを特徴とする。図５において取っ手部は何処でも誰でも気軽に使用しやすくするために片手で持てる形状をとった。【選択図】図１
2005144091.tif 000002
【特許請求の範囲】
【請求項１】
細胞間の電位の位差による慢性的な不定愁訴に対し、電気陰性度の高い半導体ゲルマニウムの刺激で、細胞間の微細な電位差をなくし、生体機能を活性させようという、誰でも何処でも簡単にできるゲルマニウム健康マッサージローラー。
【請求項２】
円筒状の軸方向にゲルマニウム突起を１２個埋め込み、ローリングすることでゲルマニウムがランダムに皮膚に接触することを特徴とする請求項１記載のゲルマニウム健康マッサージローラー。
【請求項３】
取っ手の底部のキャップをＵ字型にしゲルマニウム突起を５個埋め込み、皮膚患部に直圧を加えることを特徴とする請求項１記載のゲルマニウム健康マッサージローラー。
【請求項４】
ローラーの軸受け部分にゲルマニウム突起を１個埋め込み、皮膚患部を殴打することを特徴とする請求項１記載のゲルマニウム健康マッサージローラー。
【発明の詳細な説明】
【技術分野】
【００１】本発明は自宅でもどこでも気軽に使用でき、誰でもより効果のある健康増進を目指すゲルマニウム健康マッサージローラーに関するものである。
【背景技術】
【００２】ゲルマニウムとは、トランジスタラジオ・電信電話機器など、半導体という特殊な電気性質をもつ元素からできているもので、工業面で利用されている金属ゲルマニウムとして大変貴重で高価なものである。【００３】半導体としてのゲルマニウムはとても合理的で、皮膚面と接触するだけで痛みやコリに大きな効果を発揮し、「老化を防ぐ」「免疫力を高める」といった効果もある。また、温度・光・電磁波などの刺激でマイナスの電子を体内に送り、中和させ継続的な刺激を与えるもので、効果も半永久的に持続する。
その上、身体への副作用の心配はまったくなく、心臓ペースメーカーや脳内クリップを使用されている方でも、安心して使用できる。【００４】さらに、１００ミクロンほどの遠赤外線の波長をもつことも確認され、この療法は、２５年も前からたくさんの人に利用され、プロスポーツ選手にも多くの愛用者がいる。近年、バイオテクノロジー（生命工学）の発展によりゲルマニウムを用いた医学的療法が脚光を浴び、さらなる効果が大きな話題になりつつある。【００５】私たちが用いるゲルマニウムは金属ゲルマニウムで、従来、経絡、つぼ、理論などのポイントに貼付する形式はあったが、ゲルマニウムの効果をより広範囲にするため、ローラー式に突起を設けた。【００６】慢性的な不定愁訴は体の細胞の表面の＋電位が過剰となる電位差の作用によるものであるといわれている。
そこで、電気陰性度の高い半導体ゲルマニウムの刺激により、細胞間の微細な電位差をなくし恒常性を維持し生体機能を活性させるため、ゲルマニウムの下記の３通りの刺激により、誰でも何処でも簡単にできるゲルマニウム健康マッサージローラーである。【００７】円筒状の軸方向にゲルマニウム突起を１２個埋め込み、ローリングすることでゲルマニウムがランダムに皮膚に接触することを特徴とする。
取っ手の底部のキャップをＵ字型にしゲルマニウム突起を５個埋め込み、皮膚患部に直圧を加えることを特徴とする。
ローラーの軸受け部分にゲルマニウム突起を１個もうけ、皮膚患部を殴打することを特徴とする。
誰でも何処でも簡単にできるゲルマニウム健康マッサージローラーである。
【発明の開示】
【発明が解決しようとする課題】
【００８】従来のゲルマニウムを用いた健康グッズに皮膚添付形式のものがあったがかぶれやすい。
同類のローラー商品にはゲルマニウムの突起がなく、刺激効果も皮膚表面で感じる圧だけなので、経絡・ツボ・指圧良法など知らないとゲルマニウムの効果も少ないと思われる。
【課題を解決するための手段】
【００９】図１において１は円筒状の軸方向にゲルマニウム突起を１２個埋め込み、ローリングすることでゲルマニウムがランダムに皮膚に接触し刺激することを特徴とする。２は取っ手の底部のＵ字型キャップにゲルマニウム突起を５個埋め込み、皮膚患部に直圧を加えることを特徴とする。３はローラーの軸受け部分にゲルマニウム突起を１個埋め込み、皮膚患部を殴打することを特徴とする。【０１０】図５において取っ手部は何処でも誰でも気軽に使用しやすくするために片手で持てる形状をとった。
【発明の効果】
【０１１】慢性的な不定愁訴は、体の細胞の表面の＋電位が過剰となるためにでる症状といわれている。その部位にゲルマニウム健康マッサージローラーで直圧、殴打、ローリング、警擦などの動作を繰り返すだけで誰でも効果が発揮できる。具体的な効果をあげると、血流循環がよくなり、不快症状の軽減・改善、新陳代謝の増進。また、電磁波による健康が問われているいま、ゲルマニウムは生体電気のバランスを調整するとも言われている。
【発明を実施するための最良の形態】
【０１２】円柱状の取っ手部の両端に、円筒状のローラーの軸受けと、Ｕ字型底部を設けた。
軸受け部の軸は取っ手部の軸と垂直の関係とし、その軸受け部の一端にはゲルマニウム突起を埋め込み殴打用に用いる。またその軸受けにはゲルマニウムを円筒の対角線上に３個４列で埋め込んだローラーを取り付け、ローリング用にもちいる。反対の一端、Ｕ字型底部にゲルマニウムを十字状に５個埋め込み直圧・警擦に用いる。
また、全体を金メッキすることにより、ゲルマニウムの微細な電気の通電性を上げる。図１に全体像を示す。
【実施例】
【図６】
取っ手部を持ちローラー部を顔に当てローリングする実施例を示す
【図７】
取っ手部を持ちローラーの軸受け部につけた突起で首を殴打する実施例を示す
【図８】
ローラー部を持ち取っ手部の底の突起で首を直圧する実施例を示す
【図９】
取っ手部を持ちローラー部を肩に当てローリングする実施例を示す
【図１０】
ローラー部を持ち、取っ手部の底の突起で肩を直圧する実施例を示す
【図１１】
取っ手部を持ちローラー部を指の間をはさみ警擦する実施例を示す
【図面の簡単な説明】
【０１３】
【図１】本発明の全体像である
【図２】ローラー部の平面図である
【図３】ローラー部の側面図である
【図４】とっての底部の側面図である
【図５】円柱状の持ち手の部分の側面図である
【符号の説明】
【０１４】１  円筒状の軸方向にゲルマニウム突起を１２個埋め込んだローラー
２  取っ手の底部のＵ字型キャップにゲルマニウム突起を５個埋め込んだ
３  ローラーの軸受け部分にゲルマニウム突起を１個埋め込んだ
４  円柱状の持ち手の部分の側面図である
【図１】
2005144091.tif 000003
【図２】
2005144091.tif 000004
【図３】
2005144091.tif 000005
【図４】
2005144091.tif 000006
【図５】
2005144091.tif 000007
【図６】
2005144091.tif 000008
【図７】
2005144091.tif 000009
【図８】
2005144091.tif 000010
【図９】
2005144091.tif 000011
【図１０】
2005144091.tif 000012
【図１１】
2005144091.tif 000013
【手続補正書】
【提出日】平成16年4月13日(2004.4.13)
【手続補正３】
【補正対象書類名】特許請求の範囲
【補正対象項目名】請求項２
【補正方法】変更
【補正の内容】
【請求項２】
円筒状の軸方向にゲルマニウム突起を数個埋め込み、ローリングすることでゲルマニウムがランダムに皮膚に接触することを特徴とする請求項１記載のゲルマニウム健康マッサージローラー。
【手続補正４】
【補正対象書類名】明細書
【補正対象項目名】００１３
【補正方法】変更
【補正の内容】
【００１３】
【図１】  本発明の全体像である
【図２】  ローラー部の平面図である
【図３】  ローラー部の側面図である
【図４】  とっての底部の側面図である
【図５】  円柱状の持ち手の部分の側面図である
【図６】  取っ手部を持ちローラー部を顔に当てローリングする実施例を示す
【図７】  取っ手部を持ちローラーの軸受け部につけた突起で首を殴打する実施例を示す
【図８】  ローラー部を持ち取っ手部の底の突起で首を直圧する実施例を示す
【図９】  取っ手部を持ちローラー部を肩に当てローリングする実施例を示す
【図１０】  ローラー部を持ち、取っ手部の底の突起で肩を直圧する実施例を示す
【図１１】  取っ手部を持ちローラー部を指の間をはさみ警擦する実施例を示す
【手続補正５】
【補正対象書類名】明細書
【補正対象項目名】００７
【補正方法】変更
【補正の内容】
【００７】円筒状の軸方向にゲルマニウム突起を数個埋め込み、ローリングすることでゲルマニウムがランダムに皮膚に接触することを特徴とする。
取っ手の底部のキャップをＵ字型にしゲルマニウム突起を５個埋め込み、皮膚患部に直圧を加えることを特徴とする。
ローラーの軸受け部分にゲルマニウム突起を１個もうけ、皮膚患部を殴打することを特徴とする。
誰でも何処でも簡単にできるゲルマニウム健康マッサージローラーである。